(57)【特許請求の範囲】
【請求項１】
貯蔵室内に前後方向にスライド可能に収容されて物品を収納可能な収納部材と、
前記貯蔵室の後側の壁を隔てて配された冷気ダクトと、
前記後側の壁に設けられ、前記冷気ダクトと連通された吐出孔と、
前記収納部材の後端に設けられて後方に延びる筒形状の冷気誘導部材とを有し、
前記収納部材が前記貯蔵室内に収容されたとき、前記冷気誘導部材の後端が、前記後側の壁の前記吐出孔の周囲に近接する冷蔵庫。
【請求項２】
貯蔵室内に前後方向にスライド可能に収容されて物品を収納可能な収納部材と、
前記貯蔵室の後側の壁を隔てて配された冷気ダクトと、
前記後側の壁に設けられ、前記冷気ダクトと連通された吐出孔と、
前記吐出孔の下方から延びるつば部と、
前記収納部材の後端に設けられて後方に延びる冷気誘導部材とを有し、
前記冷気誘導部材は、前記収納部材が前記貯蔵室に収納されたときに、前記つば部と対向する上面部と、上面部の前記前後方向と直交する方向の端部から前記つば部に向かって延びる側壁部とを備え、
前記収納部材が前記貯蔵室内に収容されたとき、前記冷気誘導部材の後端が、前記後側の壁の前記吐出孔の周囲に近接している冷蔵庫。
【請求項３】
前記収納部材は、フレームと、前記フレームに支持された収納ケースとを有しており、
前記冷気誘導部材が前記収納ケースに設けられている請求項１または請求項２に記載の冷蔵庫。
【請求項４】
前記収納部材は、フレームと、前記フレームに支持された収納ケースとを有しており、
前記冷気誘導部材が前記フレームに設けられている請求項１または請求項２に記載の冷蔵庫。
【発明の詳細な説明】
【技術分野】
【０００１】
本発明は、冷蔵庫に関する。
【背景技術】
【０００２】
従来の冷蔵庫が、特許文献１に開示されている。この冷蔵庫は、収納室と、収納室の後方に壁面を隔てて設けられた冷却室を備えている。前記冷蔵庫は、前面に開口を有し、開口を開閉可能に閉塞する扉と、収納室の内部に配置され前後にスライドする収納ケースを備えている。また、前記冷却室には、冷却器と、ファンとを備えている。そして、前記壁面には、前記冷却器で冷却され前記ファンによって送られる冷気を前記収納室内に吹出す吹出口が設けられている。
【０００３】
そして、前記吹出口は、収納室内に突出している。前記収納ケースを前記収納室に収納したときに、前記吹出口の先端が前記収納ケースの内部に挿入される。このような構成することで、前記吹出口から吹出された冷気を収納ケースの内部に確実に流入させることができる。
【先行技術文献】
【特許文献】
【０００４】
【特許文献１】特開平７−５５３２１号公報
【発明の概要】
【発明が解決しようとする課題】
【０００５】
上述のような冷蔵庫では、前記収納ケースを前記開口から外部に引き出した状態で、物品の取出し、収納及び整理を行うときに、外部から前記収納室の内部の空気よりも高温の空気が流入する。収納室では、前記壁面が冷却室と隣接しているため、低温になっている。その壁面に高温の空気が触れると、水蒸気が結露し、壁面に水滴が付着する。
【０００６】
前記結露水は、下方に流れる。特許文献１の冷蔵庫では、前記吹出口が前記壁面から突出しているため、前記吹出口の上部に結露水が溜まる。そして、前記収納ケースを前記収納室に収納したとき、前記吹出口の先端が前記収納ケースの内部に挿入されるため、前記結露水が前記収納ケースの内部に流入する恐れがある。前記収納ケースに結露水が流入すると、前記収納ケースに収納されている物品に結露水がかかり、前記物品を濡らしてしまう。前記物品は乾燥保存が必要なものもあり、物品を汚したり、破損したりしてしまう恐れがある。また、前記結露水は、外部の空気に含まれる塵埃等の異物や雑菌を含んでいる場合もあるので、収納容器に前記結露水が溜まると、衛生上不都合が生じる場合がある。
【０００７】
そこで、本発明は、結露水の物品が収納される収納室への進入を抑制するとともに、前記収納室を効率よく冷却できる冷蔵庫を提供することを目的とする。
【課題を解決するための手段】
【０００８】
上記目的を達成するために本発明は、貯蔵室内に前後方向にスライド可能に収容されて物品を収納可能な収納部材と、前記貯蔵室の後側の壁を隔てて配された冷気ダクトと、前記後側の壁に設けられ、前記冷気ダクトと連通された吐出孔と、前記収納部材の後端に設けられて後方に延びる冷気誘導部材とを有し、前記収納部材が前記貯蔵室内に収容されたとき、前記冷気誘導部材の後端が、前記後側の壁の前記吐出孔の周囲に近接する冷蔵庫を提供する。
【０００９】
この構成によると、収納部材の後端に冷気誘導部材が設けられていることで、吐出孔から吐出された冷気を、全部又は略全部、収納部材に誘導することができる。これにより、収納部材に収納された物品を効果的に冷却することが可能である。また、冷気誘導部材の後端が後側の壁の吐出孔の周囲と近接する構成であるため、後側の壁で発生した結露水が収納部材に流入するのを抑制する。これにより、収納物品の水濡れを抑制し、また、結露水が付着しないので、収納部材の内部の衛生状態を良好に保つことが可能である。
【００１０】
上記構成において、冷蔵庫は、前記吐出孔の辺縁から前方に突出するリブが設けられていてもよい。このような構成とすることで、吐出孔の辺縁を丸めることができる。これにより、使用者又は作業者の指、収納された物品等が傷つくのを抑制することができる。また、収納された物品の傷つきによって、鮮度が低下したり、品質が低下したりするのを抑制することができる。
【００１１】
上記構成において、冷蔵庫は、前記冷気誘導部材は、前記収納部材が後方に移動したときに、後端が、前記後側の壁の前記吐出孔の下方と近接していてもよい。このように構成することで、吐出孔から流出する冷気の流速が遅い場合、吐出孔から流出された冷気は、すぐに下方に流れる。下方に冷気誘導部材が設けられていることで、多くの冷気を収納部材に誘導することができる。
【００１２】
上記構成において、冷蔵庫は、前記冷気誘導部材の後端は、可撓性を有していてもよい。このように構成することで、冷気誘導部材や後側の壁の温度変化による変形で、冷気誘導部材と後側の壁とが接触しても、冷気誘導部材が変形することで、収納部材のスライドが邪魔されにくい。これにより、貯蔵室が密閉不良になるのを抑制することができる。また、冷気誘導部材と後側の壁が接触しても、破損しにくい。これにより、冷気誘導部材の後側の壁に対する近接距離（隙間）を小さくしても、支障が出にくい。このことから、より多くの冷気を収納部材に流入させることができる。
【００１３】
上記構成において、冷蔵庫は、前記冷気誘導部材は、上部に流入した水を下方に流す導水部を有していてもよい。なお、導水部としては、上下に貫通した水抜き孔、収納部材の移動方向と直交する方向に対して、傾斜した凹凸等を挙げることができる。これにより、収納部材内への結露水の流入が抑制される。
【００１４】
上記構成において、冷蔵庫は、前記冷気誘導部材は、筒形状であってもよい。このように構成することで、吐出孔から吹出される冷気が、水平又は上方を向いており、しかも流速が速い場合であっても、冷気を確実に収納部材に誘導することが可能である。
【００１５】
上記構成において、冷蔵庫は、前記吐出孔の下方から延びるつば部を有しており、前記冷気誘導部材は、前記収納部材が前記貯蔵室に収納されたときに、前記つば部と対向する上面部と、上面部の前記前後方向と直交する方向の端部から前記つば部に向かって延びる側壁部とを備えていてもよい。このように構成することで、収納部材が貯蔵室に収納されたときには、冷気誘導部材が筒状となるので、冷気を確実に収納部材に流入させることができる。また、冷気誘導部材は、底面がない形状を有しているので、成型用の金型の形状が簡単であり、製造のコストを低減することができる。
【００１６】
上記構成において、冷蔵庫は、前記収納部材は、フレームと、前記フレームに支持された収納ケースとを有しており、前記冷気誘導部材が前記収納ケースに設けられていてもよい。
【００１７】
上記構成において、冷蔵庫は、前記収納部材は、フレームと、前記フレームに支持された収納ケースとを有しており、前記冷気誘導部材が前記フレームに設けられていてもよい。このように構成されていることで、収納ケースの形状を簡単な形状とすることができる。これにより、掃除、修理、点検等のメンテナンス時に、収納ケースを取り外しやすく、作業性を高めることができる。
【発明の効果】
【００１８】
本発明によると、変形や破損を抑制し、枠体の変形による冷却性能の低下を抑制することができる扉を備えた冷蔵庫を提供することができる。
【図面の簡単な説明】
【００１９】
【図１】本発明にかかる冷蔵庫の一例を前後に切断した断面図である。
【図２】図１に示す冷蔵庫の冷蔵室を左右に切断した断面図である。
【図３】本発明にかかる冷蔵庫の引出型の収納室の断面図である。
【図４】図３に示す収納室の閉状態を示す概略配置図である。
【図５】本発明にかかる冷蔵庫の引出型の収納室の他の例の断面図である。
【図６】図５に示す収納室の閉状態を示す概略配置図である。
【図７】本発明にかかる冷蔵庫の引出型の収納室の他の例の断面図である。
【図８】図７に示す収納室の閉状態を示す概略配置図である。
【図９】本発明にかかる冷蔵庫の引出型の収納室の他の例の断面図である。
【図１０】図９に示す収納室の閉状態を示す概略配置図である。
【図１１】本発明にかかる冷蔵庫の引出型の収納室のさらに他の例の断面図である。
【図１２】本発明にかかる冷蔵庫の引出型の収納室のさらに他の例の概略配置図である。
【図１３】本発明にかかる冷蔵庫の引出型の収納室のさらに他の例の断面図である。
【図１４】図１３に示す収納室の閉状態を示す概略配置図である。
【図１５】本発明にかかる冷蔵庫の引出型の収納室のさらに他の例の閉じた状態を示す概略配置図である。
【図１６】図１５に示す冷蔵庫の引出型の収納室を開いた状態を示す概略配置図である。
【発明を実施するための形態】
【００２０】
以下に本発明の実施形態について図面を参照して説明する。
【００２１】
（第１実施形態）
図１は本発明にかかる冷蔵庫の一例の正面図である。なお、以下の説明において、前後方向、上下方向及び左右方向等方向を示す場合があるが、この場合、図１に示す状態を基準とするものとする。冷蔵庫Ｒｆは発泡断熱材を充填した断熱箱体１００を有している。冷蔵庫Ｒｆは、断熱箱体１００の内部を仕切壁で仕切って複数個の貯蔵室を形成している。断熱箱体１００の内部を上下に分割する仕切壁１０１が上下方向の中間部分に設けられている。また、下部の空間の内部を上下に分割する仕切壁１０２が設けられている。そして、仕切壁１０２で仕切られた上部の空間を左右に分割する仕切壁１０３が設けられている。さらに仕切壁１０３で仕切られた左側の空間を上下に分割する仕切壁１０４が設けられている。
【００２２】
冷蔵庫Ｒｆの複数の貯蔵室のうち、仕切壁１０１の上方に形成された貯蔵室が冷蔵室１である。仕切壁１０２の下方に形成された貯蔵室が下段冷凍室２である。仕切壁１０３で仕切られた左側の空間の上段の貯蔵室が製氷室４（氷収容部）であり、下段の貯蔵室が上段冷凍室３である。さらに、製氷室４及び上段冷凍室３の右側の貯蔵室が野菜室５である。下段冷凍室２の後方下部には機械室１０が設けられている。機械室１０の内部には冷凍サイクルを運転する圧縮機１２が設置されている。
【００２３】
なお、冷蔵室、下段冷凍室、上段冷凍室、製氷室及び野菜室はこの配置である必要はなく、使用頻度、貯蔵物の量等に合わせて変更することが可能であってもよい。また、これらの貯蔵室以外の温度で貯蔵物を貯蔵する貯蔵室を備えていてもよい。
【００２４】
下段冷凍室２及び上段冷凍室３は貯蔵物を冷凍保存する（例えば、−１８℃で保存する）ための貯蔵室である。製氷室４は不図示の製氷装置で製造された氷を貯蔵しておく貯蔵室であり、上段冷凍室３及び下段冷凍室２と同じ温度に維持される。
【００２５】
冷蔵庫Ｒｆにおいて、下段冷凍室２、上段冷凍室３及び製氷室４は１つのまとまった断熱領域となっている。図２に示すように、仕切壁１０２には、開口１０５が設けられている。開口１０５を介して上段冷凍室３と下段冷凍室２とが連通される。また、同様に仕切壁１０４には、開口１０６が設けられている。開口１０６を介して製氷室４と上段冷凍室３が連通される。
【００２６】
そして、冷蔵室１は貯蔵物を下段冷凍室２及び上段冷凍室３よりも高い温度（例えば、３℃〜５℃）で冷蔵保存し、野菜室５は冷蔵室１よりも高い温度（例えば、７℃〜８℃）に維持して野菜等の貯蔵物を冷蔵保存する。なお、各貯蔵室の温度はこれに限定されるものではなく、各貯蔵室に貯蔵される物品の劣化を抑制できる温度に設定される。また、使用者が必要に応じて或いは好みに合わせて温度設定できるようになっていてもよい。
【００２７】
冷蔵室１は左右端でそれぞれ枢支された観音開きの一対の扉１１により開閉される。下段冷凍室２、上段冷凍室３及び製氷室４はそれぞれ収納ケース２２、３２及び４２を備えている。収納ケース２２、３２及び４２は、引出式の扉２１、３１及び４１の開閉とともに前後に摺動される。野菜室５は収納ケース５２を備え、不図示の引出式の扉の開閉とともに前後に摺動される。
【００２８】
冷蔵庫Ｒｆは、後部に、ダンパ７１を介して連通する冷気通路６及び冷気流路７を備えている。冷気通路６は下段冷凍室２、上段冷凍室３及び製氷室４の背後に設けられている。また、冷気流路７は冷蔵室１の背後に設けられている。
【００２９】
冷気通路６及び冷気流路７にはそれぞれ冷気を循環させる冷凍室ファン６１、冷蔵室ファン７２が配されている。冷凍室ファン６１の下方には冷気を発生する蒸発器６２が配されている。蒸発器６２の下方には蒸発器６２に付着した霜を取り除く（除霜する）ための除霜ヒータ６３が配されている。図２に示すように、下段冷凍室２、上段冷凍室３及び製氷室４の背後には、後側の壁として隔壁１０７が設けられている。下段冷凍室２、上段冷凍室３及び製氷室４は、隔壁１０７を挟んで、冷気通路６と隣り合う。
【００３０】
隔壁１０７には、冷気を吐出する開口である吐出孔６０１、６０２及び６０３が形成されている。また、隔壁１０７には、冷気が戻る開口である戻り口６０４が形成されている。吐出孔６０１、６０２及び６０３から吹き出された冷気は、それぞれ、下段冷凍室２、上段冷凍室３及び製氷室４を冷却し、戻り口６０４から冷気通路６に戻る。なお、冷気通路６には、冷気通路６を前後に分割する仕切部材６００が設けられている。
【００３１】
冷気通路６の仕切部材６００で仕切られた前部は、冷気を吐出孔６０１、６０２、６０３に誘導する冷気ダクト６０５である。仕切部材６００は、下部で隔壁１０７と接触している。また、仕切部材６００で仕切られた後部は、冷気発生流路６０６である。冷気ダクト６０５と冷気発生流路６０６とは、上部で連通している。
【００３２】
冷気発生流路６０６には、冷凍室ファン６１と蒸発器６２とが配置される。すなわち、冷気発生流路６０６で発生した冷気は、上部で折り返して冷気流路６０５に流入する。そして、冷気流路６０を通過して、吐出孔６０１、６０２及び６０３から、下段冷凍室２、上段冷凍室３及び製氷室４に流入する。また、戻り口６０４は、冷気発生流路６０６に直接連通しており、戻り口６０４から戻る空気は、冷気発生流路６０６に直接流入する。
【００３３】
また、冷蔵室１の背後には、隔壁１０８が設けられている。冷蔵室１は、隔壁１０８を挟んで、冷気流路７と隣り合う。冷気流路７は、冷気通路６とダンパ７１を介して連通されており、冷蔵室１を冷却するときに、ダンパ７１が開かれ、冷気通路６の冷気が冷気流路７に流入する。なお、冷気流路７の内部には、冷蔵ファン７２が設けられており、冷蔵ファン７２によって、ダンパ７１から流入した冷気は、冷気通路７内を流動する。
【００３４】
隔壁１０８は、冷気を冷蔵室に吐出する開口である吐出孔７０１を複数個、備えている。複数個の吐出孔７０１は冷蔵室１の棚で仕切られたそれぞれの段に冷気を吐出する。仕切壁１０１には、冷蔵室１と野菜室５とを連通する連通路７０２が設けられている。なお、冷気は冷蔵室１を流動するときに貯蔵物から熱を奪うため昇温される。そして、その昇温された冷気が連通路７０２から野菜室５に流入する。そのため、野菜室５は冷蔵室１よりも高温に維持される。野菜室５を流動した冷気は、戻り口（不図示）を介して冷気流路６に戻る。戻り口は、野菜室５の下側及び背面側に設けられている。
【００３５】
以上示したように、本発明にかかる冷蔵庫Ｒｆでは、隔壁１０７に設けられた吐出孔６０１、６０２及び６０３から冷気通路６内の冷気を吐出して、下段冷凍室２、上段冷凍室３及び製氷室４を冷却する。また、隔壁１０８に設けられた吐出孔７０１から冷気流路７内の冷気を吐出して、冷蔵室１を冷却する。
【００３６】
（第１実施形態）
下段冷凍室２及び上段冷凍室３では、収納ケース２２及び３２に物品を配置する。そして、扉２１及び３１とともに、収納ケース２２及び３２を前後に摺動させることで、開閉を行う。また、製氷室４は、冷蔵庫Ｒｆで製造した氷を蓄えておくものであるが、基本的な構成は、下段冷凍室２及び上段冷凍室３と同じである。
【００３７】
このような引出型の収納室の構成における特徴について、図面を参照して、説明する。下段冷凍室２、上段冷凍室３及び製氷室４は、実質上同じ構成を有している。そのため、以下の説明では、下段冷凍室２を代表として、特徴を説明する。図３は本発明にかかる冷蔵庫の引出型の収納室の断面図であり、図４は、図３に示す収納室の閉状態を示す概略配置図である。
【００３８】
上述のとおり、図３に示す引出型の収納室は、下段冷凍室２である。下段冷凍室２は、貯蔵室である直方体形状の収納空間２０に、収納ケース２２が、前後に移動可能に収納されている。収納ケース２２は、扉２１と一体に移動する。下段冷凍室２は、扉２１と、収納ケース２２とを支持するフレーム２３を備えている。下段冷凍室２において、扉２１、収納ケース２２及びフレーム２３が前後に移動する。そのため、扉２１、収納ケース２２及びフレーム２３が収納部材である。
【００３９】
フレーム２３は、側面支持レール２３０と、連結部材２３１と、ガイドローラ２３２とを備えている。側面支持レール２３０は、前後に延びる梁状の部材であり、左右に平行に設けられる。すなわち、フレーム２３は、一対の側面支持レール２３０を備えている。そして、側面支持レール２３０は、前端が扉２１と固定されている。また、一対の側面支持レール２３０の後端には、側面支持レール２３０を連結する連結部材２３１が設けられている。連結部材２３１は、ここでは、左右方向に延びる梁状の部材である。側面支持レール２３０の下面の後部には、ガイドローラ２３２が設けられている。
【００４０】
収納空間２０の内面、すなわち、断熱箱体１００の側面には、前後方向に延びる一対のガイドレール２４が設けられている。一対のガイドレール２４は、側面支持レール２３０と平行に延びている。そして、一対のガイドレール２４の上面の前部には、ガイドローラ２４１が設けられている。
【００４１】
下段冷凍室２では、ガイドローラ２４１が側面支持レール２３０の下面を支持して、側面支持レール２３０に対して転動する。また、ガイドローラ２３２がガイドレール２４の上面を転動する。フレーム２３は、ガイドローラ２３２及びガイドローラ２４１によって、小さい力で、前後に移動する。また、下段冷凍室２では、扉２１及び収納ケース２２が後部に移動したときに、その自重を利用して後に移動する力を発生する閉鎖機構を有している。この閉鎖機構によって、扉２１が確実に閉じられる。また、下段冷凍室２の構造は、この構成に限定されるものではなく、扉２１及び収納ケース２２を、前後に移動可能に支持する構成を広く採用することができる。
【００４２】
上述のとおり、収納ケース２２を収納空間２０に収納するときに、収納ケース２２の後端が隔壁１０７と接触すると、下段冷凍室２の密閉が不十分になる恐れがある。また、上述の閉鎖機構による作用によって、収納ケース２２の後端と隔壁１０７とが接触している状態でも、収納ケース２２が後方に押される場合がある。この場合、収納ケース２２が破損したり、隔壁１０７が破損したりする恐れがある。そのため、収納ケース２２を収納空間２０内に収納したとき、収納ケース２２と隔壁１０７とを接触させない。すなわち、収納ケース２２が収納状態のとき、収納ケース２２の後端と隔壁１０７との間には隙間が形成される。
【００４３】
上述のとおり隔壁１０７には、吐出孔６０１が設けられており、吐出孔６０１から吐出される冷気で、収納ケース２２の内部の物品が冷却される。そのため、吐出孔６０１から吐出される冷気を、なるべく多く収納ケース２２に流入させることが好ましい。そのため、収納ケース２２の後端には、冷気誘導部材８１が設けられている。
【００４４】
図３、図４に示すように、冷気誘導部材８１は、収納ケース２２の上面の後端から後方に向かって延びる、板状の部材である。冷気誘導部材８１は、後方に向かって傾斜しており、後方が前方よりも高い。そして、冷気誘導部材８１の後端は、吐出孔６０１の下方と対向する。そして、収納ケース２２が、収納空間２０の内部に収納され、扉２１が閉じたときには、冷気誘導部材８１の後端と、隔壁１０７との間に、隙間が形成される。
【００４５】
上述のとおり、吐出孔６０１からは、冷気ダクト６０５を流れた冷気が吐出される。冷気は、周囲の空気よりも低温であるため、下方に流れやすい。隔壁１０７の前側、つまり、冷気の吐出側の吐出孔６０１の下方には、冷気誘導部材８１が設けられている。そのため、下方に流れた冷気は、冷気誘導部材８１に誘導されて、収納ケース２２の内部に流入する。冷気誘導部材８１を収納ケース２２に設けることで、吐出孔６０１から吐出された冷気の全て、または、略全てを収納ケース２２内に流入させることができる。これにより、冷却効率の低下を抑制することができる。
【００４６】
冷気ダクト６０５を流れた冷気は、冷凍室ファン６１から吐出された冷気であり、ある程度の流速で流れる。そして、吐出孔６０１から吐出される冷気は、隔壁１０７と直交する速度成分を有している。そのため、吐出孔６０１から吐出された冷気は、隔壁１０７から離れる方向の速度を有しており、吐出孔６０１の直下において、冷気誘導部材８１と隔壁１０７との間に隙間があっても、その隙間から下方に漏れる冷気はほとんどない、又は、非常に少ない。つまり、冷凍室ファン６１を用いて強制送風する構成において、吐出孔６０１の周囲の隔壁１０７と冷気誘導部材８１との間に隙間があっても、冷却効率は低下しない、又は、低下したとしても微小である。
【００４７】
また、下段冷凍室２では、物品の出し入れ時に、扉２１が開閉される。このとき、収納空間２０には、外部の高温の空気が流入する。下段冷凍室２において、隔壁１０７も冷却されているため、外部の高温の空気に含まれる水分が結露する。そして、その結露水は、隔壁１０７に沿って、下方に流れる。本実施形態の下段冷凍室２では、冷気誘導部材８１の後端と、隔壁１０７との間の隙間を通って、結露した水滴は、隔壁１０７の下方に流れる。つまり、下方に流れた結露水は、冷気誘導部材８１には流入せずに、そのまま、隔壁１０７を流れる。そのため、収納ケース２２に結露水が流入するのを抑制することができる。
【００４８】
下段冷凍室２では、薬品や食品等、水濡れ不可の物品の収納、保存を行う場合がある。また、結露水には、埃塵等が含まれていたり、微生物が含まれていたりする場合があり、水濡れを許容できる収納物品が収納されている場合でも、結露水の付着は、衛生上好ましくない場合がある。冷気誘導部材８１を設けることで、収納物品を冷却することができるとともに、収納物品への結露水の付着を抑制して、上述のような、不具合を抑制することができる。
【００４９】
また、また、結露水に問題がないとしても、使用者によっては、収納ケース２２に結露水が付着していることに不快感を覚える場合もある。冷気誘導部材８１を備えることで、結露水の収納ケース２２への流入を抑制するので、使用者が不快感を覚えるのを抑制することができる。
【００５０】
なお、冷気誘導部材８１と隔壁１０７との隙間は、結露した水が通過できる距離であることが好ましい。また、冷気誘導部材８１よりも下方には、結露水を溜めておくための容器が設けられていてもよい。また、本実施形態において、冷気誘導部材８１は、収納ケース２２と同一の部材として形成される。これにより、製造が簡単である。しかしながら、これに限定されるものではなく、収納ケース２２と冷気誘導部材８１を別部材として、組み合わせるものであってもよい。
【００５１】
（変形例１）
本実施形態の引出型の収納室の他の例について図面を参照して説明する。図５は、本発明にかかる冷蔵庫の引出型の収納室の他の例の断面図であり、図６は、図５に示す収納室の閉状態を示す概略配置図である。
【００５２】
上述の冷気誘導部材８１では、収納ケース２２と同一の部材として作製したものであり、収納ケース２２と同様の固さを有する部材として形成される。隔壁１０７と冷気誘導部材８１を同一の材料で形成したとしても、冷気の循環する量や、その時の温度によっては、熱による変形に差が出る場合がある。そのため、冷気誘導部材８１と隔壁１０７との隙間を、水が通過できる隙間として設計した場合、冷気誘導部材８１と隔壁１０７との変形に差が出ると、冷気誘導部材８１と隔壁１０７とが接触し、扉２１が確実に締まらずに密閉不良なかったり、冷気誘導部材８１又は隔壁１０７が破損したりする。
【００５３】
このような、冷気誘導部材８１と隔壁１０７との接触による不具合を解消するために、図５、図６に示す下段冷凍室２では、冷気誘導部材８１を小さくして、その後端に、可撓性を有する弾性部材８１１を取り付けている。弾性部材８１１を取り付けることで、熱変形の差によって、冷気誘導部材８１と隔壁１０７の間隔が、設計値よりも小さくなっても、弾性部材８１１が隔壁１０７と接触して変形する。そのため、冷気誘導部材８１及び隔壁１０７の破損、扉２１の密閉不良を抑制することができる。
【００５４】
また、弾性部材８１１と隔壁１０７が接触しても、不具合が発生しにくいので、弾性部材８１１、すなわち、冷気誘導部材８１と隔壁１０７との隙間を小さくすることができる。これにより、冷気誘導部材８１と隔壁１０７との隙間から下方に流れる冷気を減らすことができるので、より多くの冷気を収納ケース２２に誘導することが可能である。なお、冷気誘導部材８１の後端が、可撓性を有していてもよいし、冷気誘導部材８１全体が、可撓性を有していてもよい。
【００５５】
（変形例２）
本実施形態の引出型の収納室の他の例について図面を参照して説明する。図７は、本発明にかかる冷蔵庫の引出型の収納室の他の例の断面図であり、図８は、図７に示す収納室の閉状態を示す概略配置図である。
【００５６】
上述した下段冷凍室２では、収納ケース２の後端に、冷気誘導部材８１が設けられている。しかしながら、これに限定されるものではない。冷気誘導部材８１は、収納ケース２を含む、収納部材の後端に設けられていればよい。例えば、図７、図８に示す下段冷凍室２のように、冷気誘導部材８１が、連結部材２３１に設けられている。つまり、冷気誘導部材８１は、扉２１、収納ケース２２及びフレーム２３を含む収納部材の後端に設けられ、後方に延びている。
【００５７】
このような構成とすることで、収納ケース２１に冷気誘導部材８１が取り付けられていないので、掃除、修理等のメンテナンスを行うときに、収納ケース２１を簡単に着脱することが可能である。
【００５８】
（第２実施形態）
本発明にかかる引出型の収納室について、図面を参照して、説明する。第１実施形態と同様、下段冷凍室２を代表として、特徴を説明する。図９は、本発明にかかる冷蔵庫の引出型の収納室の他の例の断面図であり、図１０は、図９に示す収納室の閉状態を示す概略配置図である。本実施形態の下段冷凍室２Ａでは、吹出孔６０１の周囲に前方に向かって突出するリブ８２が設けられている。それ以外の特徴については、第１実施形態の下段冷凍室２と同じであり、実質上同じ部分には同じ符号を付すとともに、同じ部分の詳細な説明は省略する。
【００５９】
図９、図１０に示すように、隔壁１０７の吐出孔６０１の縁部から、前方に延びるリブ８２が設けられている。リブ８２は、断面長方形の筒形状である。そして、扉２１を閉じたときに、リブ８２の前端は、冷気誘導部材８１の後端よりも後方、すなわち、収納空間２０の奥側に位置する。
【００６０】
リブ８２が設けられることで、使用者や作業者が吐出孔６０１の縁部が先鋭化されるのを抑制することができる。これにより、吐出孔６０１の縁部に、使用者や作業者の手が触れたり、収納物品が触れたりしても傷がつくのを抑制することができる。
【００６１】
また、吐出孔６０１の縁部に、リブ８２が設けられており、リブ８２に水が溜まる。そして、リブ８２に溜まった水は、リブ８２に沿って流れ、リブ８２の左右端部から下方に流れる。そのため、隔壁１０７を下方に流れた結露水が、吐出孔６０１に流れ込むのを抑制することができる。さらに、リブ８２で結露水が左右方向に流されるので、冷気誘導部材８１に結露水が流れるのも抑制される。なお、リブ８２の突出高さとしては、例えば、２ｍｍ〜３ｍｍ程度を挙げることができるが、これに限定されない。
【００６２】
また、これら以外の特徴については、第１実施形態と同じである。
【００６３】
（第３実施形態）
本発明にかかる引出型の収納室について、図面を参照して、説明する。第１実施形態と同様、下段冷凍室２を代表として、特徴を説明する。図１１は、本発明にかかる冷蔵庫の引出型の収納室のさらに他の例の断面図である。本実施形態の下段冷凍室２Ｂでは、収納ケース２２の後端に冷気誘導部材８３が設けられていることを特徴としている。それ以外の特徴については、第１実施形態の下段冷凍室２と同じであり、実質上同じ部分には同じ符号を付すとともに、同じ部分の詳細な説明は省略する。
【００６４】
図１１に示す、下段冷凍室２Ｂに設けられた冷気誘導部材８３は、上面から下面に貫通した水抜き孔８３１を複数個備えている。水抜き孔８３１は、冷気誘導部材８３の上部に流入した水を下方に流す導水部である。
【００６５】
冷気誘導部材８３は、下段冷凍室２に設けられた冷気誘導部材８１と同様、隔壁１０７との間に結露水が通過できる隙間が設けられている。しかしながら、扉２１が閉じている状態のとき、冷気誘導部材８３自体も冷却されているため、扉２１の開閉によって、高温の空気が流入すると、冷気誘導部材８３自体に結露する場合がある。また、外部の温度や湿度の変化によって、想定以上の結露水が付着する場合もある。この場合、隔壁１０７を下方に流れる水が冷気誘導部材８３に向かって流れる場合もある。
【００６６】
このように、冷気誘導部材８３に結露水が流れると、水抜き孔８３１を通過して、冷気誘導部材８３の下方に流れる。そのため、収納ケース２２の内部への、結露水の流入を抑制することができる。
【００６７】
これ以外の特徴については、第１実施形態及び第２実施形態と同じである。なお、冷気誘導部材８３と収納ケース２２との接続部分には、結露水が収納ケース２２の内部に流入するのを抑制するための凸部が設けられていてもよい。
【００６８】
（変形例）
図１２は本発明にかかる冷蔵庫の引出型の収納室のさらに他の例の概略配置図である。図１２に示す下段冷凍室２Ｂ２の冷気誘導部材８３の上面には、左右に傾斜した凹凸８３２が設けられている。冷気誘導部材８３の上面の水は、凹凸８３２に遮られて、収納ケース２２の内部への流入が規制される。また、凹凸８３２が、前方、すなわち、下方に向かって右側に傾斜している。そのため、冷気誘導部材８３の上面を流れる程度の量の水が上面に流入又は付着しても、その水は、凹凸８３２に沿って流れ、冷気誘導部材８３の右端より、下方に流れる。これのより、収納ケース２２内部への水の流入を抑制することができる。なお、凹凸８３２が導水部である。また、水抜き孔８３１を併用してもよい。
【００６９】
（第４実施形態）
本発明にかかる引出型の収納室について、図面を参照して、説明する。第１実施形態と同様、下段冷凍室２を代表として、特徴を説明する。図１３は本発明にかかる冷蔵庫の引出型の収納室のさらに他の例の断面図である。図１４は、図１３に示す収納室の閉状態を示す概略配置図である。本実施形態の下段冷凍室２Ｃでは、収納ケース２２の後端に冷気誘導部材８４が設けられている。それ以外の特徴については、第１実施形態の下段冷凍室２と同じであり、実質上同じ部分には同じ符号を付すとともに、同じ部分の詳細な説明は省略する。
【００７０】
図１３、図１４に示すように、冷気誘導部材８４は、前後に貫通する筒形状を有している。冷気誘導部材８４は、傾斜しており、後部が前部に対して、高くなっている。冷気誘導部材８４は、後端に冷気が流入する流入開口８４１と、前端に冷気が収納ケース２２に流出する流出開口８４２とを有している。流入開口８４１は、吐出孔６０１よりも大きい長方形状である、そして、扉２１が閉じたときに、流入開口８４１が、吐出孔６０１の周縁と前後に近接する。
【００７１】
吐出孔６０１から流出される冷気の流速が遅い場合、吐出孔６０１の下方に設けられた板状の冷気誘導部材８１で、冷気の全部又は略全部を収納ケース２２に流入させることが可能である。しかしながら、吐出孔６０１から吐出される冷気の速度が速い場合、吐出孔６０１から水平方向に速い気流が吹出される。また、吐出孔６０１の形状や冷気ダクト６０５の形状によっては水平よりも上向きに冷気が吹出される場合がある。このような吹出し方向で冷気が吹出される場合、収納ケース２２内の同じ場所に冷気が吹き付けられ、冷却効率が低下する場合がある。
【００７２】
そこで、筒状の冷気誘導部材８４を設けることで、水平又はそれより上向きに吹出される冷気を、強制的に収納ケース２２に向けて整流する。そのため、冷気の全て又は略全てを収納ケース２２の内部に、吹き付けることができるため、収納ケース２２の内部（の物品）を効率よく冷却することができる。図１４において、冷気誘導部材８４は、内部に補強用の柱部材を有しているが、十分な強度を有する場合、柱部材は省略してもよい。また、冷気誘導部材８４の上部に、第３実施形態で示した、凹凸を有する導水部を設けてもよい。
【００７３】
なお、これ以外の特徴については、第１実施形態〜第３実施形態と同じである。
【００７４】
（変形例）
図１５は本発明にかかる冷蔵庫の引出型の収納室のさらに他の例の閉じた状態を示す概略配置図である。図１６は、図１５に示す冷蔵庫の引出型の収納室を開いた状態を示す概略配置図である。図１５に示す下段冷凍室２Ｃ２には、冷気誘導部材８５が設けられている。それ以外の部分は、下段冷凍室２と同じであり、実質上同じ部分には、同じ符号を付すとともに、同じ部分の詳細な説明は省略する。
【００７５】
図１５に示すように、下段冷凍室２Ｃ２において、冷気誘導部材８５は、上面部８５１と、側面部８５２、８５３を備えている。冷気誘導部材８５は、後部が前部に対して、上に傾斜している。
【００７６】
そして、図１６に示すように、つば部８６は、隔壁１０７の吐出孔６０１の下方から突出して設けられている。そして、上面部８５１がつば部８６と平行であり、上面部８５１の左右の端部に側面部８５２、８５３が連結されている。そして、側面部８５２、８５３の前方の端部が、収納ケース２２と接続されている。
【００７７】
そして、図１５に示すように、扉２１が閉じた状態のときには、つば部８６の前端は、収納ケース２２の後端と隙間を介して前後に対向する。そして、側面部８５２、８５３の下端が、つば部８６と接近する。すなわち、扉２１が閉じたときには、冷気誘導部材８５とつば部８６とが筒状になり、筒状の内部を冷気が流動することで、冷気を収納ケース２２に誘導する。
【００７８】
このような冷気誘導部材８５によると、上面部８５１と、側面部８５２、８５３とを組み合わせた形状は、下面が開いている。このような構成の冷気誘導部材８５を樹脂を成型する場合、金型の構造が簡単になり、製造に要する手間、時間を減らすことができる。
【００７９】
また、隔壁１０７を伝って下方に流れた結露水は、つば部８６を流れる。つば部８６の前端は、収納ケース２２の後端と隙間を介して対向するため、水は、収納ケース２２の内部に流れず、隙間から下方に流れ落ちる。このとき、つば部８６の上面を冷気が流れていると、冷気によって昇華が促されたり、隙間に押したりする効果があるため、水滴が溜まるのを抑制することができる。
【００８０】
本発明にかかる、各実施形態では、下段冷凍室を例に挙げて説明してきたが、これ以外にも、例えば、上段冷凍室３、製氷室４も同様の構成となっていてもよい。また、これらに限定されず、後側の壁に冷気を吐出する吐出孔を備えている構成の引出型の収納室に広く採用することが可能である。
【００８１】
以上、本発明の実施形態について説明したが、本発明はこの内容に限定されるものではない。また本発明の実施形態は、発明の趣旨を逸脱しない限り、種々の改変を加えることが可能である。
【００８２】
以上説明した本発明にかかる冷蔵庫は、貯蔵室内に前後方向にスライド可能に収容されて物品を収納可能な収納部材と、前記貯蔵室の後側の壁を隔てて配された冷気ダクトと、前記後側の壁に設けられ、前記冷気ダクトと連通された吐出孔と、前記収納部材の後端に設けられて後方に延びる冷気誘導部材とを有し、前記収納部材が前記貯蔵室内に収容されたとき、前記冷気誘導部材の後端が、前記後側の壁の前記吐出孔の周囲に近接している。
【００８３】
この構成によると、収納部材の後端に冷気誘導部材が設けられていることで、吐出孔から吐出された冷気を、全部又は略全部、収納部材に誘導することができる。これにより、収納部材に収納された物品を効果的に冷却することが可能である。また、冷気誘導部材の後端が後側の壁の吐出孔の周囲と近接する構成であるため、後側の壁で発生した結露水が収納部材に流入するのを抑制する。これにより、収納物品の水濡れを抑制し、また、結露水が付着しないので、収納部材の内部の衛生状態を良好に保つことが可能である。
【００８４】
上述した冷蔵庫は、前記吐出孔の辺縁から前方に突出するリブが設けられていてもよい。このような構成とすることで、吐出孔の辺縁を丸めることができる。これにより、使用者又は作業者の指、収納された物品等が傷つくのを抑制することができる。また、収納された物品の傷つきによって、鮮度が低下したり、品質が低下したりするのを抑制することができる。
【００８５】
上述した冷蔵庫において、前記冷気誘導部材は、前記収納部材が後方に移動したときに、後端が、前記後側の壁の前記吐出孔の下方と近接してもよい。このように構成することで、吐出孔から流出する冷気の流速が遅い場合、吐出孔から流出された冷気は、すぐに下方に流れる。下方に冷気誘導部材が設けられていることで、多くの冷気を収納部材に誘導することができる。
【００８６】
上述した冷蔵庫において、前記冷気誘導部材の後端は、可撓性を有していてもよい。このように構成することで、冷気誘導部材や後側の壁の温度変化による変形で、冷気誘導部材と後側の壁とが接触しても、冷気誘導部材が変形することで、収納部材のスライドが邪魔されにくい。これにより、貯蔵室が密閉不良になるのを抑制することができる。また、冷気誘導部材と後側の壁が接触しても、破損しにくい。これにより、冷気誘導部材の後側の壁に対する近接距離（隙間）を小さくしても、支障が出にくい。このことから、より多くの冷気を収納部材に流入させることができる。
【００８７】
上述した冷蔵庫において、前記冷気誘導部材は、上部に流入した水を下方に流す導水部を有していてもよい。なお、導水部としては、上下に貫通した水抜き孔、収納部材の移動方向と直交する方向に対して、傾斜した凹凸等を挙げることができる。これにより、収納部材内への結露水の流入が抑制される。
【００８８】
上述した冷蔵庫において、前記冷気誘導部材は、筒形状であってもよい。このように構成することで、吐出孔から吹出される冷気が、水平又は上方を向いており、しかも流速が速い場合であっても、冷気を確実に収納部材に誘導することが可能である。
【００８９】
上述した冷蔵庫は、前記吐出孔の下方から延びるつば部を有しており、前記冷気誘導部材は、前記収納部材が前記貯蔵室に収納されたときに、前記つば部と対向する上面部と、上面部の前記前後方向と直交する方向の端部から前記つば部に向かって延びる側壁部とを備えていてもよい。このように構成することで、収納部材が貯蔵室に収納されたときには、冷気誘導部材が筒状となるので、冷気を確実に収納部材に流入させることができる。また、冷気誘導部材は、底面がない形状を有しているので、成型用の金型の形状が簡単であり、製造のコストを低減することができる。
【００９０】
上述した冷蔵庫において、前記収納部材は、フレームと、前記フレームに支持された収納ケースとを有しており、前記冷気誘導部材が前記収納ケースに設けられていてもよい。
【００９１】
上述した冷蔵庫において、前記収納部材は、フレームと、前記フレームに支持された収納ケースとを有しており、前記冷気誘導部材が前記フレームに設けられていてもよい。このように構成されていることで、収納ケースの形状を簡単な形状とすることができる。これにより、掃除、修理、点検等のメンテナンス時に、収納ケースを取り外しやすく、作業性を高めることができる。
【符号の説明】
【００９２】
Ｒｆ  冷蔵庫
１００  断熱箱体
１０１〜１０４  仕切壁
１０５、１０６  開口
１０７  隔壁
１０８  隔壁
１  冷蔵室
１１  扉
１２  圧縮機
２  下段冷凍室
２１  扉
２２  収納ケース
２３  フレーム
２３０  連結部
２３１  ガイドローラ
２４  レール
２４１  ガイドローラ
３  上段冷凍室
３１  扉
３２  収納ケース
４  下段冷凍室
４１  扉
４２  収納ケース
５  野菜室
５２  収納ケース
６  冷媒通路
６００  仕切部材
６０１〜６０３  吐出孔
６１  冷凍室ファン
【図１】
0006625426.tif 000002
【図２】
0006625426.tif 000003
【図３】
0006625426.tif 000004
【図４】
0006625426.tif 000005
【図５】
0006625426.tif 000006
【図６】
0006625426.tif 000007
【図７】
0006625426.tif 000008
【図８】
0006625426.tif 000009
【図９】
0006625426.tif 000010
【図１０】
0006625426.tif 000011
【図１１】
0006625426.tif 000012
【図１２】
0006625426.tif 000013
【図１３】
0006625426.tif 000014
【図１４】
0006625426.tif 000015
【図１５】
0006625426.tif 000016
【図１６】
0006625426.tif 000017